(57)【要約】【課題】光学式ピックアップによってディスクに信号を記録することが出来る光ディスク記録再生装置の記録制御方法を提供する。【解決手段】記録動作中ディスクに予め記録されているディスク信号のエラーを検出し、記録中断後の記録再開時記録中断位置より後退した位置に記録されている信号の再生動作を行い、前記エラーが少ない場合にはディスク信号より得られる同期信号との同期動作によって記録動作を再開させ、前記エラーが多い場合にはディスクに記録されている記録信号より得られる同期信号との同期動作によって記録動作を再開させる。【選択図】    図１
2004241009.tif 000002
【特許請求の範囲】
【請求項１】
コンピューター装置より出力される記録信号が一旦記憶されるバッファ用ＲＡＭに記憶されている信号の量が不足したときディスクへの記録動作を一旦中断させ、且つ該バッファ用ＲＡＭに記憶されている信号の量が増大したとき記録中断位置より記録動作を再開させるように構成された光ディスク記録再生装置において、記録動作中ディスクに予め記録されているディスク信号のエラーを検出し、記録中断後の記録再開時記録中断位置より後退した位置に記録されている信号の再生動作を行い、前記エラーが少ない場合にはディスク信号より得られる同期信号との同期動作によって記録動作を再開させ、前記エラーが多い場合にはディスクに記録されている記録信号より得られる同期信号との同期動作によって記録動作を再開させるようにしたことを特徴とする光ディスク記録再生装置の記録制御方法。
【請求項２】
ディスク信号がＡＤＩＰ信号であることを特徴とする請求項１に記載の記録制御方法。
【請求項３】
ディスク信号がＬＰＰ信号であることを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちディスクアドレスが得られる。このプリグルーブより得られるウォブル信号によって記録されている時間情報は、ＡＤＩＰ（Ａｄｄｒｅｓｓ  ｉｎ  Ｐｒｅ−ｇｒｏｏｖｅ）と呼ばれている。
【０００４】
そして、光ディスク記録再生装置における記録動作は、ディスクより得られるＡＤＩＰであるディスクアドレスと記録信号であるデータに付加されるデータアドレスとが一致するように行われる。
【０００５】
また、光ディスク記録再生装置では、ホスト機器であるコンピューター装置からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００６】
ディスクへの信号の記録動作が正常に行われている状態では、コンピューター装置より出力される記録信号のバッファ用ＲＡＭへの書き込み動作及び該バッファ用ＲＡＭからの信号の読み出し動作、そして読み出された信号のディスクへの記録動作が記録信号の量やディスクへの記録状況に対応して行われる。
【０００７】
信号の記録動作を行っている状態において、バッファ用ＲＡＭに記憶されている記録信号の量が不足するとディスクへの信号の記録動作が行えない状態、所謂バッファアンダーランと呼ばれる状況になる。斯かる問題を解決する方法として、バッフア用ＲＡＭに記憶されている記録信号の量が所定値、即ち中断設定値以下になると、ディスクへの記録動作を一旦中断させ、バッフア用ＲＡＭに記憶されている記録信号の量が所定値、即ち再開設定値より多くなったとき、ディスクへの記録動作を記録の中断位置から再開させるようにした技術が開発されている（例えば、特許文献１参照。）。
【０００８】
【特許文献１】
特開２０００−２９８９２２号公報
【０００９】
【発明が解決しようとする課題】
記録中断再開動作を行う技術は、ディスクに記録中断前に記録されている信号の再生動作を行い、その再生される信号に基づいて記録動作を再開させるように構成されているが、この場合ＡＤＩＰ信号を利用して記録再開動作を行うように構成されている。
【００１０】
記録速度の高速化や記録用ディスクのバラツキによってＡＤＩＰ信号の読み出し動作を正常に行えない状況が増加しており、その場合には記録再開動作を正確に行うことが出来ないという問題が多く発生している。
【００１１】
本発明は、斯かる問題を解決することが出来る記録制御方法を提供しようとするものである。
【００１２】
【作用】
本発明は、コンピューター装置より出力される記録信号が一旦記憶されるバッファ用ＲＡＭに記憶されている信号の量が不足したときディスクへの記録動作を一旦中断させ、且つ該バッファ用ＲＡＭに記憶されている信号の量が増大したとき記録中断位置より記録動作を再開させるように構成された光ディスク記録再生装置において、記録動作中ディスクに予め記録されているディスク信号のエラーを検出し、記録中断後の記録再開時記録中断位置より後退した位置に記録されている信号の再生動作を行い、前記エラーが少ない場合にはディスク信号より得られる同期信号との同期動作によって記録動作を再開させ、前記エラーが多い場合にはディスクに記録されている記録信号より得られる同期信号との同期動作によって記録動作を再開させるように構成したものであり、記録の再開動作を正確に行うことが出来るものである。
【００１３】
【実施例】
図１は本発明に係る光ディスク記録再生装置の一実施例を示すブロック回路図である。図１において、１はスピンドルモーター（図示せず）によって回転駆動されるディスクであり、位置情報データがプリグルーブと呼ばれる溝によって記録されており、この溝より得られるＡＤＩＰ信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１４】
３は前記光学式ピックアップ２に組み込まれている光検出器から得られるＲＦ信号を増幅するとともに波形成形するＲＦ信号増幅回路、４は前記光学式ピックアップ２に組み込まれている光検出器から得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１５】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１６】
８は前記デジタル信号処理回路５によって復調された信号が入力されるとともに前記コンピューター装置７から出力される命令信号に応じて種々な制御動作を行うシステム制御回路である。９はテスト信号や情報信号等の記録信号が入力されるとともにその信号をエンコード処理した後レーザー駆動回路１０に供給し、該レーザー駆動回路１０によるレーザーの照射動作を制御することによってデータ信号等を前記ディスク１に記録させる信号記録用回路である。
【００１７】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。
【００１８】
１２はディスク１への記録動作を行っているとき記録位置を示すアドレスが記憶されるアドレスメモリー回路、１３は記録動作の再開動作を行う場合にディスク１から再生される同期信号と記録用のクロック信号とが同期するように制御する同期処理回路である。
【００１９】
１４は前記ＲＦ信号増幅回路３より得られる信号の中からディスク１に記録された信号を復調する記録信号デコード回路であり、復調された信号はシステム制御回路８に入力されるように接続されている。１５は前記ＲＦ信号増幅回路３より得られる信号の中からＡＤＩＰ信号、即ちディスク信号を復調するディスク信号デコード回路であり、復調された信号はシステム制御回路８に入力されるように接続されている。１６はディスク信号デコード回路１５によって復調される信号に含まれるエラー値を検出するエラー検出回路であり、エラーの大小をシステム制御回路８に出力するように構成されている。
【００２０】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。
【００２１】
また、ディスク１への信号の記録動作が行われている間、システム制御回路８により制御されるアドレスメモリー回路１３に正常記録動作が行われた位置の最終アドレスが記憶されるとともに読み出された記録信号の位置を示すメモリー用アドレスがシステム制御回路８に組み込まれているメモリーに記憶されるように構成されている。記録動作時にバッフア用ＲＡＭ１１に記憶されている記録信号の量が不足するバッファアンダーラン状態になり、記録動作が中断された場合には、後述する動作によって前記メモリー回路に記憶されている最終アドレスに基づいて中断した位置より信号をシームレスにて記録動作を行うことが出来るように構成されている。
【００２２】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２３】
斯かる再生動作のための制御動作が開始されると、スピンドルモーターの回転制御動作が行われるが、斯かるスピンドルモーターの回転制御動作は、ディスク１より再生される同期信号を利用して行われることになる。そして、斯かる回転制御動作は、後述する信号の記録動作時にも同様に行われる。
【００２４】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２５】
ディスク１に記録されている最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２６】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２７】
以上に説明したように本実施例における再生動作は行われるが、次にディスク１への信号の記録動作について説明する。
【００２８】
ディスク１に信号を記録する動作は、まずディスク１に設けられている試し書き領域にテスト信号を記録することによってディスク１の特性に最も適したレーザー出力を設定するための動作が行われる。斯かる設定動作は、レーザー出力を変化させながらテスト信号を記録するとともにその記録された信号を再生することにより行われる。
【００２９】
斯かるレーザー出力の設定動作が行われると、ディスク１のバッファと呼ばれる領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００３０】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われると、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００３１】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをアドレスメモリー回路１２に記憶する動作が行われている。
【００３２】
そして、ディスク１への信号の記録動作を行っている状態において、コンピューター装置７より出力されてバッファ用ＲＡＭ１１に書き込まれる信号の量がディスク１に記録されるために読み出される信号の量に比較して少なくなると、該バッファ用ＲＡＭ１１に記憶されている記録信号の量が次第に減少することになる。前記バッファ用ＲＡＭ１１に記憶されている記録信号の量が減少して所定の量になると、即ち、バッファアンダーラン状態になると、ディスク１への記録動作を中断させる制御動作が行われる。斯かる中断動作が行われると、前記バッファ用ＲＡＭ１１からの信号の読み出し動作も中断されることになる。
【００３３】
前述した中断動作が行われると、ディスク上の中断位置のアドレスがアドレスメモリー回路１２に記憶される動作及びバッファ用ＲＡＭ１１から読み出された最終の記録信号が記憶されていた位置を示すメモリー用アドレスがシステム制御回路８内に設けられているメモリーに記憶される。
【００３４】
斯かる状態において、コンピューター装置７より記録信号が出力されると、その記録信号を前記バッファ用ＲＡＭ１１に書き込む制御動作が行われることになり、該バッファ用ＲＡＭ１１に記憶されている記録信号の量が次第に増加することになる。前記バッファ用ＲＡＭ１１に記憶されている記録信号の量が増加し、その量が所定量に達すると、記録動作を再開させるための制御動作が行われる。
【００３５】
斯かる記録再開動作は、まず、光学式ピックアップ２を記録動作を開始させる位置、即ち記録動作を中断した位置より後退させた位置に変位させた後、その位置より再生動作を行うことより行われる。記録を中断させた位置は、正常記録動作が行われる毎にアドレスメモリー回路１２に記憶されている最終アドレスより容易に認知することが出来るとともに光学式ピックアップ２を所望の位置に移動させることが出来る。
【００３６】
斯かる再生動作によって再生される信号は、記録動作を中断させる直前に記録されていた信号であり、再生された信号の中から同期信号の抽出動作が行われるが、この場合に使用される同期信号は、ディスク１のＡＤＩＰ信号に含まれる同期信号である。このようにして抽出される同期信号と記録動作を行う記録用クロック信号の同期信号との同期処理が同期処理回路１３によって行われる。
【００３７】
前記同期処理回路１３による同期処理が行われると、ディスク１に記録されていた信号の同期信号に同期した記録用クロック信号を生成させることが出来る。そして、光学式ピックアップ１の光ビームの照射位置が記録中断位置まで移動したとき再生状態より記録状態への切り換え動作が行われる。斯かる切り換え動作が行われると、記録中断前に読み出された信号が記憶されていたメモリー用アドレスに基づいてバッファ用ＲＡＭ１１から信号の読み出し動作が開始される。このようにして読み出される記録信号は、記録中断前に読み出されていた信号に続く信号であり、斯かる信号が記録中断位置からディスク１上に記録されるので、ディスク１には記録中断前に記録された信号と再開によって記録される信号とが連続して記録されることになる。
【００３８】
以上に説明したように記録中断動作及び記録再開動作は行われるが、ディスク１のバラツキ等によってＡＤＩＰ信号、即ちディスク信号の読み出し動作を正確が行えない場合があり、この場合には記録再開動作を正確に行えないことになる。本発明は、斯かる問題を解決するために次のような制御動作を行うように構成されている。
【００３９】
即ち、ディスク１に信号の記録動作を行っている状態において、ディスク信号デコード回路１５によるディスク信号の読み出し動作を行っているとともに該信号にエラー信号がどの程度含まれているかの検出動作をエラー検出回路１６が行うように構成されている。エラー検出回路１６によって検出されるエラーが少ない場合には、前述した動作、即ちディスク１のＡＤＩＰ信号に含まれる同期信号同期信号と記録動作を行う記録用クロック信号の同期信号との同期処理が行われて記録中断位置からの記録再開動作が行われる。
【００４０】
エラー検出回路１６により検出されるエラーの数が少ない場合には、前述した動作が行われるが、エラー検出回路１６により検出されるエラーの数が多い場合について説明する。ディスク１に信号の記録動作を行っている状態では、前述したようにディスク信号デコード回路１５によるディスク信号の読み出し動作を行っているとともに該信号にエラー信号がどの程度含まれているかの検出動作をエラー検出回路１６が行っている状態にある。
【００４１】
前記エラー検出回路１６によって検出されるエラーが多い場合には、記録再開動作時の同期処理動作をディスク１のＡＤＩＰ信号に含まれる同期信号を利用して行うことが出来ないと判定する。このように判定された場合には、記録中断動作が行われる前にディスク１に記録した信号に含まれる同期信号を利用して記録再開動作が行われる。
【００４２】
即ち、光学式ピックアップ２を記録動作を開始させる位置、即ち記録動作を中断した位置より後退させた位置に変位させた後、その位置より再生動作を行うことより行われる。記録を中断させた位置は、正常記録動作が行われる毎にアドレスメモリー回路１２に記憶されている最終アドレスより容易に認知することが出来るとともに光学式ピックアップ２を所望の位置に移動させることが出来る。このとき、光学式ピックアップ２が移動される所望の位置は、ディスク１に記録された記録信号より得られるアドレス情報に基づいて決定される。
【００４３】
前述した動作によって光学式ピックアップ２が所望の位置に移動されて再生動作が開始されるが、斯かる再生動作によって再生される信号は、記録動作を中断させる直前に記録されていた信号であり、再生された信号の中から同期信号の抽出動作が行われるが、この場合に使用される同期信号は、ディスク１に記録動作によって記録された記録信号に含まれる同期信号である。このようにして抽出される同期信号と記録動作を行う記録用クロック信号の同期信号との同期処理が同期処理回路１３によって行われる。
【００４４】
前記同期処理回路１３による同期処理が行われると、ディスク１に記録されていた信号の同期信号に同期した記録用クロック信号を生成させることが出来る。そして、光学式ピックアップ１の光ビームの照射位置が記録中断位置まで移動したとき再生状態より記録状態への切り換え動作が行われる。斯かる切り換え動作が行われると、記録中断前に読み出された信号が記憶されていたメモリー用アドレスに基づいてバッファ用ＲＡＭ１１から信号の読み出し動作が開始される。このようにして読み出される記録信号は、記録中断前に読み出されていた信号に続く信号であり、斯かる信号が記録中断位置からディスク１上に記録されるので、ディスク１には記録中断前に記録された信号と再開によって記録される信号とが連続して記録されることになる。
【００４５】
尚、本実施例では、ディスクに予め記録されているディスク信号としてＡＤＩＰ信号を利用したが、プリグルーブではなくランドと呼ばれる部分に記録されているＬＬＰ（Ｌａｎｄ  Ｐｒｅ−Ｐｉｔ）信号を利用することも出来る。
【００４６】
【発明の効果】
本発明は、コンピューター装置より出力される記録信号が一旦記憶されるバッファ用ＲＡＭに記憶されている信号の量が不足したときディスクへの記録動作を一旦中断させ、且つ該バッファ用ＲＡＭに記憶されている信号の量が増大したとき記録中断位置より記録動作を再開させるように構成された光ディスク記録再生装置において、記録動作中ディスクに予め記録されているディスク信号のエラーを検出し、記録中断後の記録再開時記録中断位置より後退した位置に記録されている信号の再生動作を行い、前記エラーが少ない場合にはディスク信号より得られる同期信号との同期動作によって記録動作を再開させ、前記エラーが多い場合にはディスクに記録されている記録信号より得られる同期信号との同期動作によって記録動作を再開させるようにしたので、即ち記録動作の中断が行われた時点で記録再開動作に使用する信号を選択することが出来るので記録再開動作を正確に行うことが出来る。
【図面の簡単な説明】
【図１】本発明に係る光ディスク記録再生装置の一実施例を示すブロック回路図である。
【符号の説明】
１        ディスク
２        光学式ピックアップ
４        ピックアップ制御回路
５        デジタル信号処理回路
７        コンピューター装置
８        システム制御回路
１１        バッファ用ＲＡＭ
１２        アドレスメモリー回路
１３        同期処理回路
１４        記録信号デコード回路
１５        ディスク信号デコード回路
１６        エラー検出回路
【図１】
2004241009.tif 000003